(57)【要約】【課題】従来の侵入監視システムでは、侵入場所を推定することができず、侵入者の発見が非常に遅いという課題があった。【解決手段】侵入を検知するドアー開検知センサーＳ００〜Ｓ３０と、侵入検知場所及び侵入予測場所を表示するための表示装置６と、前記センサーの検知結果に基づいて前記表示装置に前記侵入検知場所を表示すると共に、その後、時間経過に従って侵入者が侵入すると予測される場所を時々刻々追加表示するパソコン５とを備えた。【効果】侵入者に早期迅速に対応することができる。【選択図】　　　　図１
2004094327.tif 000002
【特許請求の範囲】
【請求項１】
侵入を検知するセンサーと、
侵入検知場所及び侵入予測場所を表示するための表示装置と、
前記センサーの検知結果に基づいて前記表示装置に前記侵入検知場所を表示すると共に、その後、時間経過に従って侵入者が侵入すると予測される場所を時々刻々追加表示する侵入監視手段と
を備えたことを特徴とする侵入監視システム。
【請求項２】
前記侵入監視手段は、前記侵入検知場所及び前記侵入予測場所の表示色を変える
ことを特徴とする請求項１記載の侵入監視システム。
【請求項３】
前記センサーは、建物の部屋のドアーに設置され、
前記侵入監視手段は、侵入者のドアーの予測通過時間を前記ドアーの破壊耐力によって変える
ことを特徴とする請求項１又は２記載の侵入監視システム。
【請求項４】
前記ドアーに設置された通行制御装置をさらに備え、
前記侵入監視手段は、侵入者のドアーの予測通過時間を前記通行制御装置のタイプによって変える
ことを特徴とする請求項３記載の侵入監視システム。
【請求項５】
前記侵入監視手段は、複数のセンサーにより複数の侵入が検知された場合には、それらを全て同時に表示する
ことを特徴とする請求項１記載の侵入監視システム。
【請求項６】
前記侵入検知場所及び前記侵入予測場所を撮像するＩＴＶをさらに備え、
前記侵入監視手段は、選択されたＩＴＶの映像を前記表示装置に表示する
ことを特徴とする請求項１記載の侵入監視システム。
【請求項７】
前記侵入監視手段は、無施錠状態のドアーの破壊耐力を無しとする
ことを特徴とする請求項３記載の侵入監視システム。
【請求項８】
前記侵入監視手段は、前記侵入予測場所よりも前記侵入検知場所の表示を優先する
ことを特徴とする請求項１又は２記載の侵入監視システム。
【請求項９】
前記侵入監視手段は、前記侵入検知場所を前記センサーの設置場所とする
ことを特徴とする請求項１記載の侵入監視システム。
【発明の詳細な説明】
【０００１】
【発明の属する技術分野】
この発明は、侵入監視システムに関するものである。
【０００２】
【従来の技術】
従来の侵入監視システムは、侵入センサーが動作すると、画面上にその場所を赤色表示するだけであった。
【０００３】
従って、現在、侵入者がいるとしたら、どこまで深く侵入されているのか推定することができず、侵入者の発見が非常に遅かった。
【０００４】
【発明が解決しようとする課題】
上述したような従来の侵入監視システムでは、侵入場所を推定することができず、侵入者の発見が非常に遅いという問題点があった。
【０００５】
この発明は、前述した問題点を解決するためになされたもので、侵入経路を予測演算し、推定表示することにより、侵入者に早期迅速に対応することができる侵入監視システムを得ることを目的とする。
【０００６】
【課題を解決するための手段】
この発明の請求項１に係る侵入監視システムは、侵入を検知するセンサーと、侵入検知場所及び侵入予測場所を表示するための表示装置と、前記センサーの検知結果に基づいて前記表示装置に前記侵入検知場所を表示すると共に、その後、時間経過に従って侵入者が侵入すると予測される場所を時々刻々追加表示する侵入監視手段とを備えたものである。
【０００７】
この発明の請求項２に係る侵入監視システムは、前記侵入監視手段が、前記侵入検知場所及び前記侵入予測場所の表示色を変えるものである。
【０００８】
この発明の請求項３に係る侵入監視システムは、前記センサーが、建物の部屋のドアーに設置され、前記侵入監視手段が、侵入者のドアーの予測通過時間を前記ドアーの破壊耐力によって変えるものである。
【０００９】
この発明の請求項４に係る侵入監視システムは、前記ドアーに設置された通行制御装置をさらに備え、前記侵入監視手段は、侵入者のドアーの予測通過時間を前記通行制御装置のタイプによって変えるものである。
【００１０】
この発明の請求項５に係る侵入監視システムは、前記侵入監視手段が、複数のセンサーにより複数の侵入が検知された場合には、それらを全て同時に表示するものである。
【００１１】
この発明の請求項６に係る侵入監視システムは、前記侵入検知場所及び前記侵入予測場所を撮像するＩＴＶをさらに備え、前記侵入監視手段は、選択されたＩＴＶの映像を前記表示装置に表示するものである。
【００１２】
この発明の請求項７に係る侵入監視システムは、前記侵入監視手段が、無施錠状態のドアーの破壊耐力を無しとするものである。
【００１３】
この発明の請求項８に係る侵入監視システムは、前記侵入監視手段が、前記侵入予測場所よりも前記侵入検知場所の表示を優先するものである。
【００１４】
この発明の請求項９に係る侵入監視システムは、前記侵入監視手段が、前記侵入検知場所を前記センサーの設置場所とするものである。
【００１５】
【発明の実施の形態】
実施の形態１．
この発明の実施の形態１に係る侵入監視システムについて図面を参照しながら説明する。図１は、この発明の実施の形態１に係る侵入監視システムの構成配置を示す図である。なお、各図中、同一符号は同一又は相当部分を示す。
【００１６】
図１において、１は建物、２はドアー、３はドアーである。なお、斜線部分はコンクリート壁を表す。また、ドアー２はＡランク、ドアー３はＢランクをそれぞれ示す。これらのランクは、破壊されやすい度合（破壊耐力）を示し、Ａランクのドアー２はドアーを破壊され侵入されるまでの時間が例えば５分、Ｂランクのドアー３はドアーを破壊され侵入されるまでの時間が例えば１０分である。
【００１７】
また、同図において、１Ａ、１Ｂ、２Ａ、２Ｂ、３０は部屋、Ｓ００〜Ｓ３０は各部屋のドアーに設置されたドアー開検知センサーである。
【００１８】
図２は、この発明の実施の形態１に係る侵入監視システムの構成を示す図である。
【００１９】
図２において、４はドアー開検知センサーＳ００〜Ｓ３０が接続された入力装置、５はメモリ等を含むパソコン（ＰＣ）本体（侵入監視手段）、６は表示装置（液晶やＣＲＴ）、７はキーボード（ＫＢ）、８は印刷装置（ＰＲＴ）である。
【００２０】
図３は、この発明の実施の形態１に係る侵入監視システムの表示エリア番号を示す図である。
【００２１】
つぎに、この実施の形態１に係る侵入監視システムの動作について図面を参照しながら説明する。
【００２２】
ドアー開検知センサーなどの侵入センサーが動作後、時間経過と共に侵入者がどこまで侵入したかを時々刻々予測、推定し、表示することにより、侵入者の発見を早める。
【００２３】
まず、侵入発生場所（エリア）を赤色表示する。次に、時間経過と共に侵入者が侵入可能と思われるエリアをピンク色表示する。一度表示したら、侵入者を捕まえるか、誤報の確認がされるまで、表示は消さない。消す方法は、図示しないが、電源をＯＦＦしてもよい。
【００２４】
図４は、この発明の実施の形態１に係る侵入監視システムの動作（外周フェンスに設置されている侵入センサーが動作した場合）を示すフローチャートである。
【００２５】
ステップ１０１において、パソコン５は、図示しない外周フェンスに設置されている侵入センサーが動作したかを判断する。
【００２６】
次に、ステップ１０２において、侵入センサーが動作した場合には、表示装置６に建物１の外エリアを赤色表示する。
【００２７】
次に、ステップ１０３において、５分＋（外周フェンスから建物１までの推定歩行時間）が経過したかどうかを判断する。
【００２８】
次に、ステップ１０４において、上記の合計時間が経過した場合には、図３に示す００エリアをピンク色表示する。
【００２９】
次に、ステップ１０５において、図１に示すドアー開検知センサーＳ００が動作したかどうかを判断する。
【００３０】
次に、ステップ１０６において、ドアー開検知センサーＳ００が動作した場合には、図３に示す００エリアを赤色表示する。
【００３１】
次に、ステップ１０７において、５分経過したかどうかを判断する。
【００３２】
次に、ステップ１０８において、５分経過した場合には、図３に示す１Ａ、１Ｂ、２Ａ、２Ｂエリアをピンク色表示する。
【００３３】
次に、ステップ１０９において、５分経過したかどうかを判断する。
【００３４】
次に、ステップ１１０において、５分経過した場合には、図３に示す２０エリアをピンク色表示する。
【００３５】
次に、ステップ１１１において、１０分経過したかどうかを判断する。
【００３６】
次に、ステップ１１２において、１０分経過した場合には、図３に示す３０エリアをピンク色表示する。
【００３７】
図５は、この発明の実施の形態１に係る侵入監視システムの動作（部屋１Ａに設置されているドアー開検知センサーＳ１Ａが動作した場合）を示すフローチャートである。
【００３８】
ステップ２０１において、パソコン５は、建物１の部屋１Ａに設置されているドアー開検知センサーＳ１Ａが動作したかを判断する。
【００３９】
次に、ステップ２０２において、ドアー開検知センサーＳ１Ａが動作した場合には、表示装置６に１Ａ、００エリアを赤色表示する。
【００４０】
次に、ステップ２０３において、５分経過したかどうかを判断する。
【００４１】
次に、ステップ２０４〜２０５において、５分経過した場合には、建物外エリアをピンク色表示する。また、図３に示す１Ｂ、２Ａ、２Ｂエリアをピンク色表示する。
【００４２】
次に、ステップ２０６において、５分経過したかどうかを判断する。
【００４３】
次に、ステップ２０７において、５分経過した場合には、図３に示す２０エリアをピンク色表示する。
【００４４】
次に、ステップ２０８において、１０分経過したかどうかを判断する。
【００４５】
次に、ステップ２０９において、１０分経過した場合には、図３に示す３０エリアをピンク色表示する。
【００４６】
図６は、この発明の実施の形態１に係る侵入監視システムの動作（部屋１Ｂに設置されているドアー開検知センサーＳ１Ｂが動作した場合）を示すフローチャートである。
【００４７】
ステップ３０１において、パソコン５は、建物１の部屋１Ｂに設置されているドアー開検知センサーＳ１Ｂが動作したかを判断する。
【００４８】
次に、ステップ３０２において、ドアー開検知センサーＳ１Ｂが動作した場合には、表示装置６に１Ｂ、００エリアを赤色表示する。
【００４９】
次に、ステップ３０３において、５分経過したかどうかを判断する。
【００５０】
次に、ステップ３０４〜３０５において、５分経過した場合には、建物外エリアをピンク色表示する。また、図３に示す１Ａ、２Ａ、２Ｂエリアをピンク色表示する。
【００５１】
次に、ステップ３０６において、５分経過したかどうかを判断する。
【００５２】
次に、ステップ３０７において、５分経過した場合には、図３に示す２０エリアをピンク色表示する。
【００５３】
次に、ステップ３０８において、１０分経過したかどうかを判断する。
【００５４】
次に、ステップ３０９において、１０分経過した場合には、図３に示す３０エリアをピンク色表示する。
【００５５】
図７は、この発明の実施の形態１に係る侵入監視システムの動作（部屋２Ａに設置されている一方のドアー開検知センサーＳ２Ａ１が動作した場合）を示すフローチャートである。
【００５６】
ステップ４０１において、パソコン５は、建物１の部屋２Ａに設置されているドアー開検知センサーＳ２Ａ１が動作したかを判断する。
【００５７】
次に、ステップ４０２において、ドアー開検知センサーＳ２Ａ１が動作した場合には、表示装置６に００、２Ａエリアを赤色表示する。
【００５８】
次に、ステップ４０３において、５分経過したかどうかを判断する。
【００５９】
次に、ステップ４０４〜４０５において、５分経過した場合には、建物外エリアをピンク色表示する。また、図３に示す１Ａ、１Ｂ、２Ｂエリアをピンク色表示する。
【００６０】
次に、ステップ４０６において、５分経過したかどうかを判断する。
【００６１】
次に、ステップ４０７において、５分経過した場合には、図３に示す２０エリアをピンク色表示する。
【００６２】
次に、ステップ４０８において、１０分経過したかどうかを判断する。
【００６３】
次に、ステップ４０９において、１０分経過した場合には、図３に示す３０エリアをピンク色表示する。
【００６４】
図８は、この発明の実施の形態１に係る侵入監視システムの動作（部屋２Ｂに設置されている一方のドアー開検知センサーＳ２Ｂ１が動作した場合）を示すフローチャートである。
【００６５】
ステップ５０１において、パソコン５は、建物１の部屋２Ｂに設置されているドアー開検知センサーＳ２Ｂ１が動作したかを判断する。
【００６６】
次に、ステップ５０２において、ドアー開検知センサーＳ２Ｂ１が動作した場合には、表示装置６に００、２Ｂエリアを赤色表示する。
【００６７】
次に、ステップ５０３において、５分経過したかどうかを判断する。
【００６８】
次に、ステップ５０４〜５０５において、５分経過した場合には、建物外エリアをピンク色表示する。また、図３に示す１Ａ、１Ｂ、２Ａエリアをピンク色表示する。
【００６９】
次に、ステップ５０６において、５分経過したかどうかを判断する。
【００７０】
次に、ステップ５０７において、５分経過した場合には、図３に示す２０エリアをピンク色表示する。
【００７１】
次に、ステップ５０８において、１０分経過したかどうかを判断する。
【００７２】
次に、ステップ５０９において、１０分経過した場合には、図３に示す３０エリアをピンク色表示する。
【００７３】
図９は、この発明の実施の形態１に係る侵入監視システムの動作（部屋２Ａに設置されている他方のドアー開検知センサーＳ２Ａ２が動作した場合）を示すフローチャートである。
【００７４】
ステップ６０１において、パソコン５は、建物１の部屋２Ａに設置されているドアー開検知センサーＳ２Ａ２が動作したかを判断する。
【００７５】
次に、ステップ６０２において、ドアー開検知センサーＳ２Ａ２が動作した場合には、表示装置６に２Ａ、２０エリアを赤色表示する。
【００７６】
次に、ステップ６０３において、５分経過したかどうかを判断する。
【００７７】
次に、ステップ６０４において、５分経過した場合には、図３に示す２Ｂ、００エリアをピンク色表示する。
【００７８】
次に、ステップ６０５において、５分経過したかどうかを判断する。
【００７９】
次に、ステップ６０６〜６０８において、５分経過した場合には、建物外エリアをピンク色表示する。また、図３に示す１Ａ、１Ｂエリアをピンク色表示する。さらに、図３に示す３０エリアをピンク色表示する。
【００８０】
図１０は、この発明の実施の形態１に係る侵入監視システムの動作（部屋２Ｂに設置されている他方のドアー開検知センサーＳ２Ｂ２が動作した場合）を示すフローチャートである。
【００８１】
ステップ７０１において、パソコン５は、建物１の部屋２Ｂに設置されているドアー開検知センサーＳ２Ｂ２が動作したかを判断する。
【００８２】
次に、ステップ７０２において、ドアー開検知センサーＳ２Ｂ２が動作した場合には、表示装置６に２Ｂ、２０エリアを赤色表示する。
【００８３】
次に、ステップ７０３において、５分経過したかどうかを判断する。
【００８４】
次に、ステップ７０４において、５分経過した場合には、図３に示す２Ａ、００エリアをピンク色表示する。
【００８５】
次に、ステップ７０５において、５分経過したかどうかを判断する。
【００８６】
次に、ステップ７０６〜７０８において、５分経過した場合には、建物外エリアをピンク色表示する。また、図３に示す１Ａ、１Ｂエリアをピンク色表示する。さらに、図３に示す３０エリアをピンク色表示する。
【００８７】
図１１は、この発明の実施の形態１に係る侵入監視システムの動作（部屋３０に設置されているドアー開検知センサーＳ３０が動作した場合）を示すフローチャートである。
【００８８】
ステップ８０１において、パソコン５は、建物１の部屋３０に設置されているドアー開検知センサーＳ３０が動作したかを判断する。
【００８９】
次に、ステップ８０２において、ドアー開検知センサーＳ３０が動作した場合には、表示装置６に２０、３０エリアを赤色表示する。
【００９０】
次に、ステップ８０３において、５分経過したかどうかを判断する。
【００９１】
次に、ステップ８０４において、５分経過した場合には、図３に示す２Ａ、２Ｂエリアをピンク色表示する。
【００９２】
次に、ステップ８０５において、５分経過したかどうかを判断する。
【００９３】
次に、ステップ８０６において、５分経過した場合には、図３に示す００エリアをピンク色表示する。
【００９４】
次に、ステップ８０７において、５分経過したかどうかを判断する。
【００９５】
次に、ステップ８０８〜８０９において、５分経過した場合には、図３に示す１Ａ、１Ｂエリアをピンク色表示する。また、建物外エリアをピンク色表示する。
【００９６】
図４〜図１１のフローは全て並行に動作し、赤色が優先して表示される。赤色とピンク色が重なったエリアは、赤色表示となる。
【００９７】
図５〜図１１のフローは侵入者が突然出現したフローになっているが、侵入パターンは色々なので、突然出現することも多い。例えば、昼間トイレに隠れていて、夜間出てくるケースなどがある。
【００９８】
なお、通路や動きに変化のある（動変）場所に設置した侵入センサー（ドアーに設置するセンサー以外）に対しても同様に実施できる。
【００９９】
また、ドアーはメカニカルキーでなく、通行制御装置（テンキー、カードリーダー、バイオメトリックスＩＤ等）を設置してもよい。また、そのタイプによって、ドアーそのものの破壊耐力だけでなく、耐セキュリティー性も考慮して通過時間を決めてもよい。
【０１００】
また、表示は色によるものでなく、フリッカーによって変えてもよい。
【０１０１】
また、各部屋のドアーが映せる場所などにＩＴＶを設置し、侵入検知場所及び侵入予測場所をモニターしてもよい。また、モニターの方法は数分割やシーケンシャルの多重表示の方法を使ってもよい。
【０１０２】
また、単に、ドアーがあり、施錠も通行制御もしないものは通過時間をほぼ零（０）にしてもよい。
【０１０３】
また、重要な部屋へのアクセスを重点的に表示してもよい。
【０１０４】
さらに、ドアーの破壊侵入時、図示しないＩＴＶを選択し、モニター表示をするだけでなく、照明を点灯し、印字し、ブザーを鳴動させ、さらには携帯電話にて管理者に音及び映像により知らせるようにしてもよい。
【０１０５】
【発明の効果】
この発明の請求項１に係る侵入監視システムは、以上説明したとおり、侵入を検知するセンサーと、侵入検知場所及び侵入予測場所を表示するための表示装置と、前記センサーの検知結果に基づいて前記表示装置に前記侵入検知場所を表示すると共に、その後、時間経過に従って侵入者が侵入すると予測される場所を時々刻々追加表示する侵入監視手段とを備えたので、侵入者に早期迅速に対応することができるという効果を奏する。
【０１０６】
この発明の請求項２に係る侵入監視システムは、以上説明したとおり、前記侵入監視手段が、前記侵入検知場所及び前記侵入予測場所の表示色を変えるので、侵入者に早期迅速に対応することができるという効果を奏する。
【０１０７】
この発明の請求項３に係る侵入監視システムは、以上説明したとおり、前記センサーが、建物の部屋のドアーに設置され、前記侵入監視手段が、侵入者のドアーの予測通過時間を前記ドアーの破壊耐力によって変えるので、侵入者に早期迅速に対応することができるという効果を奏する。
【０１０８】
この発明の請求項４に係る侵入監視システムは、以上説明したとおり、前記ドアーに設置された通行制御装置をさらに備え、前記侵入監視手段は、侵入者のドアーの予測通過時間を前記通行制御装置のタイプによって変えるので、侵入者に早期迅速に対応することができるという効果を奏する。
【０１０９】
この発明の請求項５に係る侵入監視システムは、以上説明したとおり、前記侵入監視手段が、複数のセンサーにより複数の侵入が検知された場合には、それらを全て同時に表示するので、侵入者に早期迅速に対応することができるという効果を奏する。
【０１１０】
この発明の請求項６に係る侵入監視システムは、以上説明したとおり、前記侵入検知場所及び前記侵入予測場所を撮像するＩＴＶをさらに備え、前記侵入監視手段は、選択されたＩＴＶの映像を前記表示装置に表示するので、侵入者に早期迅速に対応することができるという効果を奏する。
【０１１１】
この発明の請求項７に係る侵入監視システムは、以上説明したとおり、前記侵入監視手段が、無施錠状態のドアーの破壊耐力を無しとするので、侵入者に早期迅速に対応することができるという効果を奏する。
【０１１２】
この発明の請求項８に係る侵入監視システムは、以上説明したとおり、前記侵入監視手段が、前記侵入予測場所よりも前記侵入検知場所の表示を優先するので、侵入者に早期迅速に対応することができるという効果を奏する。
【０１１３】
この発明の請求項９に係る侵入監視システムは、以上説明したとおり、前記侵入監視手段が、前記侵入検知場所を前記センサーの設置場所とするので、侵入者に早期迅速に対応することができるという効果を奏する。
【図面の簡単な説明】
【図１】この発明の実施の形態１に係る侵入監視システムの構成配置を示す図である。
【図２】この発明の実施の形態１に係る侵入監視システムの構成を示す図である。
【図３】この発明の実施の形態１に係る侵入監視システムの表示エリア番号を示す図である。
【図４】この発明の実施の形態１に係る侵入監視システムの動作を示すフローチャートである。
【図５】この発明の実施の形態１に係る侵入監視システムの動作を示すフローチャートである。
【図６】この発明の実施の形態１に係る侵入監視システムの動作を示すフローチャートである。
【図７】この発明の実施の形態１に係る侵入監視システムの動作を示すフローチャートである。
【図８】この発明の実施の形態１に係る侵入監視システムの動作を示すフローチャートである。
【図９】この発明の実施の形態１に係る侵入監視システムの動作を示すフローチャートである。
【図１０】この発明の実施の形態１に係る侵入監視システムの動作を示すフローチャートである。
【図１１】この発明の実施の形態１に係る侵入監視システムの動作を示すフローチャートである。
【符号の説明】
１　建物、２　ドアー、３　ドアー、４　入力装置、５　パソコン（ＰＣ）本体、６　表示装置、７　キーボード（ＫＢ）、８　印刷装置（ＰＲＴ）。
【図１】
2004094327.tif 000003
【図２】
2004094327.tif 000004
【図３】
2004094327.tif 000005
【図４】
2004094327.tif 000006
【図５】
2004094327.tif 000007
【図６】
2004094327.tif 000008
【図７】
2004094327.tif 000009
【図８】
2004094327.tif 000010
【図９】
2004094327.tif 000011
【図１０】
2004094327.tif 000012
【図１１】
2004094327.tif 000013